【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた画像を用いてＲＡＷ画像データを生成する生成手段と、
前記ＲＡＷ画像データを一時的に保持する保持手段と、
前記ＲＡＷ画像データを現像処理する第１の現像手段と、
前記第１の現像手段による現像処理により生成された第１の画像データと、前記ＲＡＷ画像データとを記録媒体に記録する記録手段と、
前記生成手段が連続して複数の画面の前記ＲＡＷ画像データを生成する連写モードにおいて、前記保持手段における前記ＲＡＷ画像データを保持するための空き容量が第１の閾値に満たない場合、前記第１の現像手段による前記ＲＡＷ画像データの現像処理を行わないように制御を行う制御手段と
を備えることを特徴とする撮像装置。
【請求項２】
前記制御手段は、前記連写モードにおいて単位時間あたりに生成されるＲＡＷ画像データの枚数が多いほど、前記第１の閾値を大きくすることを特徴とする請求項１に記載の撮像装置。
【請求項３】
前記制御手段は、前記記録媒体へのデータ転送速度が速くなるほど、前記第１の閾値を小さくすることを特徴とする請求項１または２に記載の撮像装置。
【請求項４】
前記連写モードにおいて、前記制御手段は、前記保持手段の前記空き容量が新たなＲＡＷ画像データを保持するのに必要な容量に満たない場合に、前記保持手段に保持され、かつ、前記記録媒体に記録されていないＲＡＷ画像データを前記記録媒体に記録するように前記記録手段を制御することを特徴とする請求項１から３のいずれか１項に記載の撮像装置。
【請求項５】
前記連写モードにおいて、前記制御手段は、前記保持手段に保持されたＲＡＷ画像データのうち前記記録媒体に記録済みのＲＡＷ画像データを前記保持手段から削除するように制御することを特徴とする請求項４に記載の撮像装置。
【請求項６】
前記ＲＡＷ画像データに対し、前記第１の現像手段が行う前記現像処理よりも処理負荷の高い現像処理を行う第２の現像手段をさらに備え、
前記記録手段は、前記第２の現像手段により現像処理された第２の画像データを前記記録媒体に記録し、
前記連写モードにおいて、前記制御手段は、前記保持手段における前記ＲＡＷ画像データを保持するための空き容量が前記第１の閾値よりも高い第２の閾値以上の場合に、前記第２の現像手段により前記ＲＡＷ画像データの現像処理を行うように制御することを特徴とする請求項１から５のいずれか１項に記載の撮像装置。
【請求項７】
前記ＲＡＷ画像データに対応した前記第２の画像データが生成されたか否かを示す情報を生成する手段を備え、
前記制御手段は、前記情報が、前記第２の画像データが生成されていないことを示し、かつ、前記生成手段が前記ＲＡＷ画像データの生成を行っていない場合に、前記ＲＡＷ画像データを現像処理するように前記第２の現像手段を制御することを特徴とする請求項６に記載の撮像装置。
【請求項８】
前記第１の画像データに対応した画像、または、前記第２の画像データに対応した画像を表示部に表示させる表示制御手段と、
前記ＲＡＷ画像データに対応した前記第２の画像データが生成されたか否かを示す情報を生成する手段と
を更に備え、
前記制御手段は、前記情報が、前記第２の画像データが生成されていないことを示し、かつ、前記第１の画像データに対応した画像が前記表示部において拡大されて表示される場合に、前記ＲＡＷ画像データを現像処理するように、前記第２の現像手段を制御することを特徴とする請求項６に記載の撮像装置。
【請求項９】
前記ＲＡＷ画像データを圧縮し、圧縮された状態のＲＡＷ画像データを生成するＲＡＷ圧縮手段と、
前記圧縮された状態のＲＡＷ画像データを伸張する伸張手段と
を更に備え、
前記保持手段は、前記圧縮された状態のＲＡＷ画像データを一時的に保持し、
前記第１の現像手段は、前記伸張されたＲＡＷ画像データを現像処理する
ことを特徴とする請求項１から８のいずれか1項に記載の撮像装置。
【請求項１０】
撮像手段により得られた画像を用いてＲＡＷ画像データを生成する生成工程と、
前記ＲＡＷ画像データを保持手段に一時的に保持する保持工程と、
前記ＲＡＷ画像データを現像処理する第１の現像工程と、
前記第１の現像工程における現像処理により生成された第１の画像データと、前記ＲＡＷ画像データとを記録媒体に記録する記録工程と
を備える撮像装置の制御方法であって、
前記生成工程において連続して複数の画面の前記ＲＡＷ画像データが生成される連写モードにおいて、前記保持手段における前記ＲＡＷ画像データを保持するための空き容量が第１の閾値に満たない場合、前記第１の現像工程における前記ＲＡＷ画像データの現像処理が行われないように制御されることを特徴とする撮像装置の制御方法。
【請求項１１】
撮像手段と保持手段とを備えるコンピュータを請求項１から９のいずれか１項に記載の撮像装置の各手段として機能させるためのプログラム。
【手続補正２】
【補正対象書類名】明細書
【補正対象項目名】００７６
【補正方法】変更
【補正の内容】
【００７６】
Ｓ６０６において、ＲＡＷ伸張部１１４が、バッファ部１１５又は記録媒体１５２等から読み出したＲＡＷ画像データを復号して伸張する。伸張されたＲＡＷ画像データを、Ｓ６０７で高画質現像部１１２が高画質に現像処理し、スイッチ部１２１を経由して表示制御部１２２に出力する。Ｓ６０８において、表示制御部１２２が図７（ｃ）に示すような拡大画像を表示部１２３へ出力する。高画質現像部１１２は、ＲＡＷ画像データをデベイヤー処理（デモザイク処理）し、輝度と色差から成る信号へ変換して、各信号に含まれるノイズを除去、光学的な歪を補正し、画像を適正化するなどの所謂現像処理を行う。
【手続補正３】
【補正対象書類名】明細書
【補正対象項目名】００７９
【補正方法】変更
【補正の内容】
【００７９】
また、バッファ部１１５にＲＡＷ画像データが保持されている場合には、Ｓ６０５をスキップできるため、素早く表示できるようになると上述した。そこで、バッファ部１１５になるべくＲＡＷ画像データが保持された状態になるよう、図７の表示例７００や７１０の場合に、拡大表示に備え、画像７０１や画像７１１に対応するＲＡＷ画像データを予め記録媒体１５２から読み出してバッファ部１１５へ記憶させると良い。拡大表示の指示よりも先行して、記録再生部１５１が記録媒体１５２等から該当するＲＡＷ画像データを読みだして記憶させることで、表示例７２０のような拡大表示の指示がなされたときに、より素早く表示することができる。
【手続補正４】
【補正対象書類名】明細書
【補正対象項目名】００９４
【補正方法】変更
【補正の内容】
【００９４】
Ｓ８１０において、制御部１６１は、バッファ部１１５に記憶されているＲＡＷ画像データに対して簡易現像を実行するよう、ＲＡＷ伸張部１１４、簡易現像部１１１、スイッチ部１２１、画像圧縮部１４１に命令（制御信号）を出す。命令を出したら、Ｓ８１１へ遷移する。制御部１６１からの命令を受けて、ＲＡＷ伸張部１１４、簡易現像部１１１、スイッチ部１２１、画像圧縮部１４１は、簡易現像処理された画像データを取得するための処理を行う。これらの処理は、連写時において、バッファ部１１５に対するＲＡＷ画像データの記憶動作（Ｓ８０１〜Ｓ８０８）と並行して（バックグラウンドで）行われる。画像圧縮部１４１に、簡易現像された画像データの圧縮が完了した後、記録再生部１５１へ圧縮した画像データを送信する。
【手続補正５】
【補正対象書類名】図面
【補正対象項目名】図２
【補正方法】変更
【補正の内容】
【図２】
2015220502.tif 000001